(57)【特許請求の範囲】
【請求項１】
被設置面に取り付けるための取付部を外周部に設け、開口を有する箱状をなす本体と；
本体内に設けられ、前記開口から挿通されるプラグの栓刃が接続される刃受け金具と；
前記開口が露出するように形成されたプラグの栓刃が挿通される開口部を有し、前記開口部に向かって形成された縁部とともに、前記本体と本体の取付部を含む外周部を覆う、被設置面に略直交する方向から本体に対し着脱可能に装着されるカバー部材と；
を具備しており、前記本体と前記カバー部材は、本体とカバー部材との間に形成され、前記縁部から構成される係合手段によって係合されていることを特徴とするコンセント。
【請求項２】
前記縁部は、前記本体に当接することを特徴とする請求項１に記載のコンセント。
【請求項３】
前記本体と前記カバー部材は、本体とカバー部材との間に形成された幅広の係止部材と、この係止部材が挿入される係止受部材を有する係止手段によって着脱可能に装着されることを特徴とする請求項１または２に記載のコンセント。
【発明の詳細な説明】
【技術分野】
【０００１】
本発明の実施形態は、屋外等に設置されるコンセントに関する。
【背景技術】
【０００２】
近年では、電気自動車用の充電スタンドが設置されるようになってきている。また、一般家庭においても電動式の自転車が普及し、商用電源から電動式の自転車に充電できるようになっている。これら充電スタンドや一般家庭での充電にはプラグが接続可能なコンセントが屋外に設けられることから、雨水や塵埃等からコンセントを保護する必要があり、コンセントにカバーを設けたカバー付のコンセントが使用されている。
【先行技術文献】
【特許文献】
【０００３】
【特許文献１】特開２００７−１０３２５８号公報
【発明の概要】
【発明が解決しようとする課題】
【０００４】
この種のカバー付コンセントの設置に際しては、先ず、コンセント本体を外壁面等の被設置面に設置し、設置されたコンセント本体に対してカバーを装着する。このため、カバーをコンセント本体の上方から下方にスライドさせて装着する構成の場合、設置部分の上側の被設置面が突出していたり、他の造営物が設けられていた場合など、カバーを上下方向にスライドさせるための空間がコンセント本体の上側にない場合には、カバーをコンセント本体に装着することができない問題が生じている。このため、この種のカバー付コンセントにおいては、設置場所の制限を受け難いコンセントを如何にして構成するかが重要な課題になっている。
【０００５】
本発明は、上記の課題に鑑みなされたもので、設置場所の制限を受け難くすることが可能なコンセントを提供しようとするものである。
【課題を解決するための手段】
【０００６】
本発明の実施形態におけるコンセントは、被設置面に取り付けるための取付部を外周部に設け、開口を有する箱状をなす本体と；本体内に設けられ、前記開口から挿通されるプラグの栓刃が接続される刃受け金具と；前記開口が露出するように形成されたプラグの栓刃が挿通される開口部を有し、前記開口部に向かって形成された縁部とともに、前記本体と本体の取付部を含む外周部を覆う、被設置面に略直交する方向から本体に対し着脱可能に装着されるカバー部材と；を具備しており、前記本体と前記カバー部材は、本体とカバー部材との間に形成され、前記縁部から構成される係合手段によって係合されてる。
【発明の効果】
【０００７】
本発明によれば、設置場所の制限を受け難くすることが可能なコンセントを提供することができる。
【図面の簡単な説明】
【０００８】
【図１】本発明の実施形態であるコンセントを外壁面に設置した状態を示す縦断面図。
【図２】同じくコンセントの係止手段を、一部を切り欠いて示す斜視図。
【図３】同じくコンセントを本体とカバー部材に分離して示す斜視図。
【図４】同じくコンセントを示し、（ａ）は蓋体を閉じた状態で示す斜視図、（ｂ）は蓋体を開いた状態で示す斜視図。
【図５】同じくコンセントのカバー部材を背面から見た斜視図。
【発明を実施するための形態】
【０００９】
以下、本発明の実施形態について図に従い説明する。
【００１０】
本実施形態は、主として電気自動車を充電するために屋外に設置される２００Ｖ仕様の屋外設置用のコンセント１０を構成するもので、図１に示すように、屋外の外壁面等の被設置面Ｘに取り付けるための取付部１１ｅを外周部に設けた箱状をなす本体１１と；本体１１内に設けられ、プラグＰの栓刃Ｐ１が接続される刃受け金具１２と；中間にプラグＰの栓刃Ｐ１が挿通される開口部１４ｄを有し、本体１１の取付部１１ｅを含む外周部を覆うよう略額縁状に形成され、被設置面Ｘに略直交するＡ方向から本体１１に対し着脱可能に装着されるカバー部材１４等で構成する。
【００１１】
本体１１は、図３に示すように、電気絶縁性を有する合成樹脂で構成された箱状をなし、上面板１１ａ、下面板１１ｂおよび側面板１１ｃ、１１ｃ、前面板１１ｄで構成され、背面が開放された断面が矩形状をなす箱状に形成される。そして、外周部、本実施形態においては、上部の外周部および下部の外周部に、本体１１を被設置面Ｘに取り付けるための取付部１１ｅが形成されている。
【００１２】
取付部１１ｅは、上面板１１ａ、下面板１１ｂの背面側を鍔状に一体に外方に向けて突出させて形成され、貫通する取付孔１１ｆが形成されている。取付孔１１ｆは、後述するように、本体１１を設置するサポート２１に対しネジＳ１によって取り付けるための孔で、上面側および下面側にそれぞれ１個ずつ、上下で計２個が形成されている。
【００１３】
また、本体１１の上面板１１ａは、後述する係止手段１５の係止受部材１５ｂが一体に形成され、係止手段の入口に連続する部分を傾斜することにより、係止部材１５ａを係止受部材１５ｂに嵌合するためのガイド面１１ａ１を一体に形成している。また、本体１１の前面板１１ｄは、板面が斜め下方に向くように傾斜して形成され、後述するコンセントユニット１３の挿入口１３ａが挿通される円形の開口１１ｄ１が形成されている。
【００１４】
なお、本体１１は、背面全体が開放された箱状をなして構成したが、背面は電線を通すための挿通孔程度が形成され閉塞されたものでもよい。また、上面板１１ａ、下面板１１ｂおよび側面板１１ｃ、１１ｃは、閉塞された板面に構成したが、板面の一部が開口されたものであってもよい。
【００１５】
刃受け金具１２は、図１に示すように、本体１１内に設けられ、プラグＰの一対の栓刃Ｐ１が接続されるもので、電気絶縁性を有する合成樹脂からなるコンセントユニット１３に対し、一対の刃受け金具１２が内蔵されている。コンセントユニット１３は、電気絶縁性を有する合成樹脂で箱状をなすように構成され、前面にプラグＰの挿入口１３ａが一体に形成され、内部に刃受け金具１２が、その栓刃挿入部１２ａが挿入口１３ａに面するようにして内蔵され、挿入口１３ａから挿入されたプラグＰの栓刃Ｐ１が、刃受け金具１２の栓刃挿入部１２ａから挿入されて電気的に接続される。
【００１６】
そして、コンセントユニット１３の挿入口１３ａが、本体１１の前面板１１ｄに形成された開口１１ｄ１に臨むようにして本体１１内に設けられる。この際、コンセントユニット１３は、傾斜した前面板１１ｄに取り付けられることによって、挿入口１３ａが斜め下方に向くように位置されて、すなわち、刃受け金具１２の栓刃挿入部１２ａが斜め下方に向くようにして本体１１内に設けられる。
【００１７】
なお、本実施形態において、刃受け金具１２は、電源用の一対の刃受け金具と、アース用の刃受け金具で構成されている。また、刃受け金具１２は、約３０°の角度で斜め下方に向くようにコンセントユニット１３に内蔵されて本体１１内に設けられている。
【００１８】
カバー部材１４は、図３に示すように、電気絶縁性を有する合成樹脂で構成された箱状をなし、同様に箱状をなす本体１１を、上下左右方向から略覆うように、上面板１４ａ、下面板１４ｂおよび側面板１４ｃ、１４ｃで構成され、前面および背面が開放された断面が矩形の箱状をなすように形成されている。カバー部材１４の内側形状および寸法は、本体１１の外側形状および寸法より若干大きく形成し、カバー部材１４内に本体１１が挿入され多少の隙間を有して嵌合されるように構成する。
【００１９】
カバー部材１４の前面には、その略中間にプラグＰの栓刃Ｐ１が挿通される開口部１４ｄを有し、この開口部１４ｄの上下に対向し、開口部１４ｄに向かって鍔状に一体に形成された一対の縁部１４ｅ、１４ｅが形成される。これにより、カバー部材１４の全体形状は、開口部１４ｄと上下の縁部１４ｅさらに左右の側面板１４ｃ、１４ｃによって、深さのある略額縁状をなすように構成される。これにより、カバー部材１４は、本体１１の取付部１１ｅ、１１ｅを含む外周部を覆うよう略額縁状に形成される。
【００２０】
そして、略額縁状をなすカバー部材１４は、本体１１に対して、本体１１の全体を略覆うようにして被せられる。すなわち、カバー部材１４の開放された背面側を、本体１１の前面側に対向させて挿入し嵌合する。この挿入方向は、本体１１が被設置面Ｘに設置された際の、被設置面Ｘと略直交する方向（図１中、矢印Ａ方向）であって、カバー部材１４を本体１１に対し被せるようにして挿入する。
【００２１】
これにより、本体１１の上面板１１ａ、下面板１１ｂおよび側面板１１ｃ、１１ｃが、カバー部材１４の上面板１４ａ、下面板１４ｂおよび側面板１４ｃ、１４ｃによって覆われ、同時に、開口部１４ｄが、本体の前面板１１ｄに設けられたコンセントユニット１３の挿入口１３ａを、外面に露出させるように対向させて装着される。
【００２２】
さらに、カバー部材１４は、本体１１の取付部１１ｅ、１１ｅを含む外周部を覆うように略額縁状に形成され、取付部１１ｅ、特に上下の各取付孔１１ｆにおける防水・防塵が図れる。本実施形態においては、カバー部材１４の上下に縁部１４ｅを設けることによって、上部の縁部１４ｅの先端部が本体１１の上面板１１ａに当接、下部の縁部１４ｅの先端部が本体１１の前面板１１ｄに当接する。このため、確実に取付部１１ｅ、１１ｅが外方から視認できないようになっている。これにより、取付孔１１ｆおよびネジＳ１のネジ頭を覆い隠すための蓋を別部品として用意することなく、コスト低減を図ることができるとともに、外観を良好にして見栄えをよくすることができ、さらに、いたずら防止を図ることが可能になる。
【００２３】
そして、上記のように装着された本体１１とカバー部材１４は、係止手段１５によって着脱可能に係止され、また着脱が可能な係合手段１６によって、さらに係合されて装着される。
【００２４】
先ず、係止手段１５について説明する。係止手段１５は、図２、図５に示すように、本体１１の上面板１１ａとカバー部材１４における上面板１４ａの内面との間に形成された係止部材１５ａと、この係止部材が挿入される係止受部材１５ｂを有して構成される。
【００２５】
係止部材１５ａは、本実施形態では、断面が略逆Ｔ字形をなし、所定の幅を有する幅広の係止板１５ａ１からなり、Ｔ字の根元部分がカバー部材１４の上面板１４ａの内面に一体に形成される。
【００２６】
係止受部材１５ｂは、本実施形態では、ガイド溝１５ｂ１からなり、係止板１５ａ１におけるＴ字の両端部が挿入される一対の対向する凹溝を有して、本体１１の上面板１１ａの外面に一体に形成される（図２）。また、ガイド溝１５ｂ１の入口は、上面板１１ａに形成されたガイド面１１ａ１に連続するように形成し、係止板１５ａ１の先端部がガイド面１１ａ１によってガイドされガイド溝１５ｂ１内に挿入され嵌合される。
【００２７】
なお、幅広の係止板１５ａ１の幅寸法ａは、対向するガイド溝１５ｂ１間の寸法ｂと略等しいか若干小さく形成する（ａ≦ｂ）。また係止板１５ａ１の厚さ寸法ｔ１は、凹溝の溝幅寸法ｔ２と略等しいか若干小さく形成し（ｔ１≦ｔ２）、ガイド溝１５ｂ１には、係止板１５ａ１が挿入され嵌合される空間部ｓが形成されるように構成する。また、係止板１５ａ１およびガイド溝１５ｂ１の長手方向は、被設置面Ｘに対して直交する方向、すなわち、本体１１が被設置面Ｘに設置された際の、被設置面Ｘと略直交する方向（図１矢印Ａ方向）に沿って形成される。
【００２８】
これにより、図２に示すように、係止板１５ａ１の両端部をガイド溝１５ｂ１の凹溝に対して、図中矢印Ａ方向にスライドさせることによって、係止板１５ａ１とガイド溝１５ｂ１が嵌合し両者が係止される。その結果、ガイド溝１５ｂ１を形成した本体１１と、係止板１５ａ１を形成したカバー部材１４とが係止される。しかも、Ａと逆方向にスライドさせることによって両者の係止状態を簡単に解除させることができる。
【００２９】
なお、スライドさせる矢印Ａ方向は、本体１１が被設置面Ｘに設置された際の、被設置面Ｘと略直交する方向（図１矢印Ａ方向）と同様の方向であり、係止手段１５における係止板１５ａ１とガイド溝１５ｂ１は、カバー部材１４を本体１１に対し被せるようにして挿入する操作によって、自動的に嵌合して係止され、しかも、カバー部材１４を逆方向にスライドさせることにより係止手段の係止状態が自動的に解除され、カバー部材１４を本体１１から取り外すことができる。
【００３０】
この際、カバー部材１４は、被設置面Ｘと略直交する方向（図１矢印Ａ方向）にスライドさせて本体１１に対し挿入するので、設置部分の上側の被設置面Ｘが突出していたり、他の造営物が設けられていた場合などでも、これら突出や造営物によって邪魔されることなく、カバー部材１４を本体１１に確実に装着することができ、設置場所の制限を受け難くすることが可能になる。
【００３１】
因みに、カバー部材を本体の上方から下方（被設置面Ｘと平行する鉛直方向）にスライドさせて装着する場合には、これら突出や造営物が邪魔になって装着することができず、コンセントの設置場所を変更しなければならない。
【００３２】
さらに、カバー部材１４と本体１１の装着状態は、幅広の係止板１５ａ１がガイド溝１５ｂ１の凹溝に対して嵌合し係止されるので、両者が互いに係止される部分の面積が広くなり、カバー部材１４が本体１１に対して左右および上下方向にガタツクことなく確実に係止して取り付けることが可能になる。
【００３３】
次に、係合手段１６について説明する。係合手段１６は、図１に示すように、本体１１の上面板１１ａとカバー部材１４における上面板１４ａの内面との間に形成され、樹脂の弾性によって着脱が可能な手段によって構成される。すなわち、係合手段１６は、本体１１の上面板１１ａの前面側に一体に形成された係合受爪１６ａと、樹脂製カバー部材１４の上側の縁部１４ｅに一体に形成され、先端に鉤状の係合爪１６ｂを有する係合腕部１６ｃで構成される。本実施形態において、係合爪１６ｂは、縁部１４ｅの幅方向の全体に亘って形成されている。
【００３４】
これにより、Ｔ字の係止板１５ａ１をガイド溝１５ｂ１にスライドさせる操作と同時に、カバー部材１４における係合腕部１６ｃの係合爪１６ｂが矢印Ａ方向に移動し、本体１１の係合受爪１６ａと係合される。これにより、係合受爪１６ａを形成した本体１１と、係合腕部１６ｃを形成したカバー部材１４とが係合される。しかも、係合腕部１６ｃを、図１に示すように、開口部１４ｄからドライバー等の工具を挿入し、上方（図中矢印Ｂ方向）に湾曲させることによって、両者の係合状態を簡単に解除させることができる。
【００３５】
上記構成から明らかなように、本体１１とカバー部材１４は、係止手段１５によりガタツクことなく確実に係止されるとともに、係合手段１６によって簡単に外れることなく、さらに確実に係合される。しかも、簡単に着脱が可能になるように装着される。
【００３６】
図１中、１８は、本体１１に設けられたコンセントユニット１３の挿入口１３ａ、すなわち、刃受け金具１２の栓刃挿入部１２ａを閉塞するための蓋体で、電気絶縁性を有する合成樹脂で矩形状をなす板状に一体に形成される（図３）。矩形状をなす蓋体１８の大きさは、挿入口１３ａを覆うことができ、かつ、カバー部材１４の開口部１４ｄよりも小さいが、開口部１４ｄを略覆い開口部の蓋としての機能を有する寸法に形成し、その下辺部１８ａが本体１１の前面板１１ｄの下辺部１１ｇに対して軸支される。
【００３７】
すなわち、本体１１の下辺部１１ｇの両側には、樹脂からなる別体の軸受１８ｂがネジＳ２によって固定され（図１）、この一対の軸受１８ｂ間に蓋体１８の下辺部１８ａを介在させ、両者にわたって軸１８ｃを挿通して、蓋体１８を本体１１の前面板１１ｄに軸支する。なお、軸受１８ｂと蓋体１８の下辺部１８ａには、コイルスプリング（図示省略）を介在させて、蓋体１８が常時コンセントユニット１３の挿入口１３ａおよびカバー部材１４の開口部１４ｄを塞ぐ方向に付勢させる。
【００３８】
また、蓋体１８の上辺部１８ｄには、外方に向けて斜めに傾斜させた摘み部１８ｅが一体に形成される。さらに、蓋体１８内面の略中央部分には、ロック部１９が設けられる。ロック部１９は、刃受け金具１２に接続されたプラグＰを本体１１側に係合し、抜け止めの作用をなす鉤状の係合爪で構成される。
【００３９】
そして、蓋体１８は、上記のように構成されることによって、プラグＰを接続しない不使用時には、コンセントユニット１３の挿入口１３ａおよびカバー部材１４に開口部１４ｄを塞ぎ、防水および防塵等の作用を果たす。同時に使用時には、カバー部材１４の開口部１４ｄから、摘み部１８ｅを指で摘んで、図４（ａ）中、矢印Ｃで示す方向に開くことによって、図４（ｂ）のように、挿入口１３ａが外面に露出し、プラグＰを刃受け金具１２に対して差し込むことが可能になる。
【００４０】
また、プラグＰを刃受け金具１２に差し込むと、図１に示すように、プラグＰの図中、矢印Ｄ方向の移動により、プラグＰの外面（図中、下面）に形成されたロック用の段部Ｐ２に対して、ロック部１９の係合爪が係合し、プラグの抜け止めがなされる。この抜け止めは、蓋体１８に設けられたスプリングの弾力により、常時閉方向に付勢されている蓋体に対してプラグＰを、矢印Ｄ方向に向けてスライドさせることによって、ロック部１９の係合爪がプラグＰの段部Ｐ１に対し自動的に係合し、係合した状態から蓋体１８を開く操作（矢印Ｃ方向の操作）によって自動的に解除される。
【００４１】
また、蓋体１８は、上記のように、矢印Ｃ方向の操作によって開かれた際に、蓋体１８の下辺部１８ａの端面１８ａ１が、本体１１前面の下辺部１１ｇに当接して停止する。この際、樹脂製の下辺部１１ｇの割れを防止するために、蓋体１８の下辺部１８ａの端面１８ａ１の幅が広くなるように、蓋体１８の肉厚寸法が上辺部１８ｄから下辺部１８ａに向かうにしたがって厚くなるように構成する。
【００４２】
これにより、蓋体１８の端面１８ａ１が、本体１１の下辺部１１ｇに当接した際に、面積の広い蓋体端面１８ａ１が本体１１の下辺部１１ｇに当接し、局部的な力が本体１１の樹脂製下辺部１１ｇにかからないようにして割れを防止することが可能になる。
【００４３】
上記により、カバー部材１４を有する防水型のコンセント１０が構成される。なお、上記に構成されたコンセント１０は、パッキングを有する裏面枠２０およびサポート２１によって、被設置面Ｘに設置される。
【００４４】
次に、上記に構成されたコンセント１０の設置手順および作動につき説明する。なお、上記に構成されたコンセント１０は、図３に示すように、本体１１とカバー部材１４を分離した状態にしておく。そして、図１に示すように、被設置面、例えば、一般家庭の建物における外壁面Ｘに対し、本体１１の背面側が外壁面Ｘと略平行に、すなわち、略鉛直方向になるように設置する。設置は、先ず、サポート２１を外壁面Ｘに予め形成された設置孔Ｘ１の外周に木ネジ等によって取り付け、さらにサポート２１に対してパンキングを有する裏面枠２０をネジによって取り付ける。
【００４５】
次に、本体１１の刃受け金具１２に対して２００Ｖの電源が供給されるように電気配線を行う。次に、裏面枠２０に対し、本体１１外周部の取付部１１ｅ、１１ｅを合せ、ネジＳ１、Ｓ１を取付孔１１ｆ、１１ｆに挿通し、サポート２１のネジ孔２０ａに対してねじ込み固定する。
【００４６】
次に、カバー部材１４を用意し、カバー部材１４の開放された背面を、本体１１の前面板１１ｄを被せるように位置合せをし、カバー部材１４を、被設置面Ｘと略直交する方向（図１矢印Ａ方向）に移動させ、本体１１をカバー部材１４内に挿入する。
【００４７】
この際、カバー部材１４は、被設置面Ｘと略直交するＡ方向に移動させることにより本体１１に装着することができるので、設置部分の上側の外壁面Ｘ１が突出していたり、他の造営物が設けられていた場合などでも、これら突出や造営物によって邪魔されることなく、カバー部材１４を本体１１に確実に装着することができ、設置場所の制限を受け難くすることが可能になる。
【００４８】
この移動操作に伴って、先ず、係止手段１５の係止板１５ａ１が、傾斜するガイド面１１ａ１にガイドされ、ガイド溝１５ｂ１に自動的に嵌合して係止される。同時に、係合手段１６の係合爪１６ｂが係合受爪１６ａに乗り上げ、係合腕部１６ｃが樹脂の弾性に抗して上方に撓み、さらなる移動によって係合爪１６ｂが係合受爪１６ａを乗り越える。これによって、係合腕部１６ｃが樹脂の弾性力によって下方に復帰し、係合爪１６ｂと係合受爪１６ａが自動的に係合し、カバー部材１４が本体１１に対して容易に外れることなく確実に装着される。なお、係合手段１６の係合は、係止手段１５の係止状態が完了したと略同時になされる。
【００４９】
この際、係止手段１５および係合手段１６は、ともにカバー部材１４の本体１１に対する装着のための移動操作によって、自動的に係止および係合がなされるので、カバー部材１４と本体１１との間における係止や係合のための格別な操作が不要となり施工が簡素化される。
【００５０】
上記のように外壁面Ｘに設置されたコンセント１０は、次のようにして使用される。すなわち、電気自動車を充電する場合には、図４（ａ）の状態から、図４（ｂ）に示すように、蓋体１８の摘み部１８ｅを摘んで開放する。これにより、カバー部材１４の開口部１４ｄが開放されて、コンセントユニット１３の挿入口１３ａが外方に露出される。
【００５１】
この状態で図１に示すように、プラグＰを本体１１の斜め下方から挿入し、栓刃Ｐ１を挿入口１３ａに差し込み充電を開始する。そして、蓋体１８の摘み部１８ｅを離すことによってロック部１９の係合爪が、プラグＰのロック用の段部Ｐ２に対して自動的に係合され、使用中に不用意にプラグＰがコンセント１０から抜けないように保持される。
【００５２】
これにより、プラグＰを差し込んだ状態、すなわち、コンセントの使用中において、プラグＰの上面および両側面側がカバー部材１４によって覆われ、上方からの雨水および横方向からの雨水に対してプラグの栓刃Ｐ１が挿入された挿入口１３ａの近辺、すなわち、電気接続部への雨水の侵入を防ぐことが可能となる。
【００５３】
次に充電が終了した状態で、蓋体１８の摘み部１８ｅを、図１中、矢印Ｃ方向に若干開放して、ロック部１９の係合爪とプラＰの段部Ｐ２の係合を解除し、プラグＰをコンセント１０の挿入口１３ａから引き抜く。この操作によって、図４（ａ）に示すように、蓋体１８がスプリングの作用によって、自動的に閉位置に向かって回動し、カバー部材１４の開口部１４ｄおよび挿入口１３ａを閉じる。
【００５４】
これにより、コンセントの不使用時において、コンセントの挿入口近辺、すなわち、電気接続部が蓋体１８およびカバー１４によって覆われ、上方からの雨水および横方向からの雨水や塵埃等の侵入を防ぐことが可能となる。
【００５５】
同時に、蓋体１８がスプリングによって、何ら操作をせず自動的に確実に閉位置に向かって回動させることができ、また、プラグを抜くことによって、蓋体１８がスプリングによって、何ら操作をせずに自動的に確実に閉位置に向かって回動するので、蓋体１８による挿入口１３ａの閉止操作を忘れても確実に閉止することができる。さらに、スプリングの作用によって、例えば、台風などの風雨の強いときにおいても、不用意な蓋体１８の開放、飛散等を防止することが可能になる。同時に、カバー部材１４によって本体１１の取付部１１ｅ、１１ｅが覆われているので、取付部１１ｅ、１１ｅにおける防水・防塵が図れるとともに、外観を良好にして見栄えをよくすることができ、さらに、いたずら防止を図ることが可能になる。
【００５６】
なお、保守・点検・修理等の際に、カバー部材１４を本体１１から取り外す場合には、カバー部材１４の開口部１４ｄからドライバー等の工具によって、縁部１４ｅに設けられた係合手段１６の係合腕部１６ｃを、図１中、矢印Ｂ方向に撓ませることによって、係合爪１６ａと係合受爪１６ｂとの係合を解除し、上記と逆方向にカバー部材１４をスライド移動させるだけで、簡単に取り外すことができる。この場合も係止手段１５や係合手段１６の格別な解除操作を行うことなく、カバー部材１４の取り外し操作によって自動的に解除させることができ、保守・点検・修理等が容易になる。
【００５７】
以上、本実施例において、係止手段１５の係止部材１５ａを構成する係止板１５ａ１をカバー部材１４に設け、係止受部材１５ｂを構成するガイド溝１５ｂ１を本体１１に設けたが、逆にしてもよい。すなわち、係止板１５ａ１を本体１１に設け、ガイド溝１５ｂ１をカバー部材１４に設けて構成してもよい。
【００５８】
また、蓋体１８は、本体１１に対してシャッターのように鉛直方向にスライドさせることによって開閉がなされるようにしてもよい。さらに、蓋体１８は、本体１１に対して着脱することができるように構成したものであってもよい。また、蓋体１８はカバー部材１４の開口部１４ｄを塞ぐようにすることが、安全性および外観意匠的にも好ましいが、少なくとも充電部となる挿入口１３ａ近辺を覆っていればよい。
【００５９】
また、本実施形態のコンセントは、屋外に設置されるカバー付のコンセントに適用され
ることが好ましいが、屋内に設置されるコンセントでもよく、また、１口用でも２口用、３口用でもよく、その口数に限定されない。さらに、アース端子付のコンセント等であってもよく、特定のコンセントには限定されない。以上、本発明の好適な実施形態を説明したが、本発明は上述の実施形態に限定されることなく、本発明の要旨を逸脱しない範囲内において、種々の設計変更を行うことができる。
【符号の説明】
【００６０】
１０  コンセント
１１  本体
１１ｄ１  開口
１１ｅ  取付部
１２  刃受け金具
１４  カバー部材
１４ｄ  開口部
１４ｅ  縁部
１５  係止手段
１５ａ  係止部材
１５ｂ  係止受部材
１６  係合手段
Ｘ  被設置面
Ｐ  プラグ
Ｐ１  栓刃
【図１】
0005904353.tif 000002
【図２】
0005904353.tif 000003
【図３】
0005904353.tif 000004
【図４】
0005904353.tif 000005
【図５】
0005904353.tif 000006